(57)【要約】【課題】構造が簡単であっても、取り外し手順を間違える事無く、取り外し作業を行うことができる接地用具を提供する。【解決手段】絶縁棒３００と、当該絶縁棒３００の先端に取り付けられて導電部材Ｗを把持する把持金具２００と、当該把持金具２００に接地線Ｐを介して接続されるアース金具６００と、を備えた接地用具７００であって、前記アース金具６００の取外し動作を可能にするハンドル部４００を備え、当該ハンドル部４００を前記アース金具６００に取り付けた状態で、前記ハンドル部４００を回転させると、前記アース金具６００の取外し動作が連動して行われ、前記絶縁棒３００の先端側又は前記把持金具２００は、前記ハンドル部４００を収容する収容部１１０を備えることを特徴とする。【選択図】図６
2018137832.tif 000002
【特許請求の範囲】
【請求項１】
絶縁棒と、当該絶縁棒の先端に取り付けられて導電部材を把持する把持金具と、当該把持金具に接地線を介して接続されるアース金具と、を備えた接地用具であって、
前記アース金具の取外し動作を可能にするハンドル部を備え、
当該ハンドル部を前記アース金具に取り付けた状態で、前記ハンドル部を回転させると、前記アース金具の取外し動作が連動して行われ、
前記絶縁棒の先端側又は前記把持金具は、前記ハンドル部を収容する収容部を備えることを特徴とする接地用具。
【請求項２】
前記収容部は、前記ハンドル部の先端部分を収容し、
前記ハンドル部の先端が前記収容部に収容された状態で、前記ハンドル部のハンドル本体は前記収容部から突出することを特徴とする請求項１に記載の接地用具。
【発明の詳細な説明】
【技術分野】
【０００１】
本願発明は、架空送電線の工事や保守の際に、電線の導電部分に流れる電流を地面等に逃すことで、作業員が感電しないようにする接地用具に関し、特に、電線の導電部分に取り付けた接地用具の取り外し手順を誤ることなく行うことができ、感電事故を防止できる接地用具に関する。
【背景技術】
【０００２】
従来から、架空送電線は二回線により送電が行われており、工事や保守の際には、一回線は送電を行い、作業対象の回線は送電を停止している。その際、作業対象の回線には、電磁誘導による誘導電流が流れるため、その誘導電流を鉄塔等の建築物に接地用具を介して逃がすことで、作業員の安全が確保されている。
【０００３】
この接地用具には様々な種類があり、例えば、特許文献１に記載の接地用具が知られている。この接地用具は、伸縮自在の絶縁棒と、絶縁棒の先端に取り付けられて導電部材を把持する把持金具と、把持金具に接地線を介して接続されるアース金具と、さらに、絶縁棒の伸長動作を制限するインターロック機構と、アース金具のロックを解除するためのキー金具を備える。そして、キー金具はインターロック機構側に取り付けられており、把持金具を導電部材から取り外して、絶縁棒を縮めた後でのみ、キー金具を抜き取ることができるようになっている。次に、この抜き取ったキー金具がアース金具に差し込まれると、アース金具のロックが解除される。すると、アース金具の蝶ネジを回すことができるようになり、アース金具を対象物から取り外すことができるのである。このように、特許文献１の接地用具によれば、「把持金具を導電部材から取り外した後に、アース金具を対象物から取り外す」手順を、誤らない工夫がなされており、作業員の安全が確保されているのである。
【０００４】
しかしながら、この特許文献１の接地用具は、接地用具の取り外し手順を誤らせないために、少なくとも、インターロック機構とキー金具といった追加の部品が必要であり、それだけ構造が複雑になり、尚且つコストも嵩むものであった。
【先行技術文献】
【特許文献】
【０００５】
【特許文献１】特許４９５３１３４
【発明の概要】
【発明が解決しようとする課題】
【０００６】
よって、本願発明は、上記問題に鑑み、構造が簡単であっても、取り外し手順を間違える事無く、取り外し作業を行うことができる接地用具を提供する。
【課題を解決するための手段】
【０００７】
上記課題を解決するために、本願発明の接地用具は、絶縁棒と、当該絶縁棒の先端に取り付けられて導電部材を把持する把持金具と、当該把持金具に接地線を介して接続されるアース金具と、を備えた接地用具であって、前記アース金具の取外し動作を可能にするハンドル部を備え、当該ハンドル部を前記アース金具に取り付けた状態で、前記ハンドル部を回転させると、前記アース金具の取外し動作が連動して行われ、前記絶縁棒の先端側又は前記把持金具は、前記ハンドル部を収容する収容部を備えることを特徴とする。
【０００８】
上記特徴によれば、把持金具が導電部分から取り外され、把持金具が作業員の手元に引き寄せられた後でのみ、作業員がハンドル部を手に取ることができる。さらに、作業員は、ハンドル部を使うことで初めて、アース金具を接地物から取り外すことができる。従って、本願発明の接地用具は、「把持金具を導電部分から取り外し、その後アース金具を接地物から取り外す」という順番を間違えずに、接地用具の取り外し作業を実現でき、作業員の安全性を確保できる。
【０００９】
さらに、ハンドル部を収容部に収容しておき、その後、ハンドル部をそのまま使用して、アース金具の取り外しを行うことができる。そのため、従来のように、インターロック機構、及びキー金具等の複雑な部品が不要であり、本願発明の接地用具では、簡単な構造で、取り外し手順を間違える事無く、取り外し作業を実現できるのである。
【００１０】
さらに、本願発明の接地用具は、前記収容部は、前記ハンドル部の先端部分を収容し、前記ハンドル部の先端が前記収容部に収容された状態で、前記ハンドル部のハンドル本体は前記収容部から突出することを特徴とする。
【００１１】
上記特徴によれば、ハンドル部のハンドル本体が収容部から突出するようになっているので、作業者は、把持金具の収容部にハンドル部が収容されていることを認識しやすく、さらに、ハンドル本体を掴んで、ハンドル部を収容部から容易に取り外すことができる。
【発明の効果】
【００１２】
本願発明の接地用具は、構造が簡単であっても、取り外し手順を間違える事無く、取り外し作業を行うことができる。
【図面の簡単な説明】
【００１３】
【図１】（ａ）は本願発明の接地用具の収容部の側面図、（ｂ）は当該収容部の正面図である。
【図２】（ａ）は本願発明の接地用具の収容部を把持金具に取り付けた状態の側面図、（ｂ）は収容部を把持金具に取り付けた状態の背面図である。
【図３】（ａ）は本願発明の接地用具のハンドル部の側面図、（ｂ）は当該ハンドル部の正面図である。
【図４】（ａ）は本願発明の接地用具のアース金具の取付部の本体の側面図、（ｂ）は当該本体の正面図、（ｃ）はアース金具の取付部の保持部の側面図、（ｄ）は当該保持部の正面図である。
【図５】本願発明の接地用具のアース金具の側面図である。
【図６】（ａ）は本願発明の接地用具の把持金具を電線等の導電部分から取り外す様子を示した斜視図、（ｂ）は把持金具の収容部からハンドル部を取り外した状態の斜視図である。
【図７】（ａ）は本願発明の接地用具のハンドル部を、アース金具の取付部に取り付ける状態を示した斜視図、（ｂ）はハンドル部を回転させてアース金具を接地物から取り外す状態を示した斜視図である。
【符号の説明】
【００１４】
１００        収容部
２００        把持金具
３００        絶縁棒
４００        ハンドル部
６００        アース金具
７００        接地用具
P             接地線
W             導線部分
【発明を実施するための形態】
【００１５】
以下に、本願発明の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本願発明は、図面における寸法比率に限定されるものではない。
【００１６】
まず、図１に本願発明の収容部１００を示す。図１（ａ）は当該収容部１００の側面図、図１（ｂ）は当該収容部１００の正面図である。この収容部１００は金属製であり、円筒状の収容部本体１１０と、当該収容部本体１１０の側面から延出する板状の取付部１２０とからなる。
【００１７】
この収容部本体１１０は、後述するハンドル部４００が収容できるように構成されている。具体的には、収容部本体１１０の内壁１１１の形状はハンドル部４００の先端部分４１０の形状と対応しており、環状の内壁１１１の直径Ｒ１が、ハンドル部４００の先端部分４１０の直径Ｒ２以上（図３参照）となっているので、ハンドル部４００の先端部分４１０が収容部本体１１０の内壁１１１の内側に確実に収容される。
【００１８】
さらに、収容部本体１１０には、周方向の均等な位置に計４つのボールプランジャ１３０が取り付けられている。そして、このボールプランジャ１３０のボール１３２が、後述するハンドル部４００の先端部分４１０の係止溝４１２（図３参照）に係合するようになっているので、収容部本体１１０に収容されたハンドル部４００が容易に脱落してしまうことを防止できる。
【００１９】
では、このボールプランジャ１３０の構成について具体的に説明すると、ボールプランジャ１３０は、外面にねじ山が設けられており、収容部本体１１０に設けられたネジ孔１１２に、挿入されて螺合している。このネジ孔１１２は収容部本体１１０の内壁１１１から外壁１１３に至るまで貫通している。
【００２０】
さらに、ボールプランジャ１３０の先端のボール１３２の一部が内壁１１１から突出し、当該ボール１３２の背面は、ボールプランジャ１３０の本体１３１に内蔵されたバネ等の付勢部材で押圧されている。そのため、内壁１１１から突出したボール１３２は、ネジ孔１１２内で軸方向に移動可能であるが、後述するハンドル４００の先端部分４１０の外面４１１によって軸方向に押し込まれても、背面の付勢部材に押圧されて、再び内壁１１１から突出した状態へと戻ることができる。そして、突出したボール１３２が、ハンドル４００の先端部分４１０の係止溝４１２に係合するのである。
【００２１】
なお、ボールプランジャ１３０は、ナット１３３によってネジ孔１１２に固定されているが、このナット１３３を緩めれば、ネジ孔１１２から容易に取り外すことができる。また、本実施例では、ボールプランジャを採用しているが、これに限定されず、ハンドル部の一部と係合して、ハンドル部が容易に脱落しないようにできるものであれば、既存の部材を適宜採用することができる。
【００２２】
再び図１を参照するとわかるように、取付部１２０には２つの固定孔１２１が形成されており、後述するように、当該固定孔１２１は収容部１００を把持金具２００に取り付ける際に利用される。なお、収容部１００は金属製の材料で形成されているが、これに限定されず、ハンドル部を収容して保持できる強度の材料であれば、適宜採用してもよい。
【００２３】
次に、図２を参照して、収容部１００を把持金具２００に取り付けた状態について説明する。なお、図２（ａ）は、収容部１００を把持金具２００に取り付けた状態の側面図、（ｂ）は収容部１００を把持金具２００に取り付けた状態の背面図である。
【００２４】
まず、把持金具２００は従来から知られた金属製の部材であり、絶縁棒３００の先端に取り付けられて、電線等の導電部材を把持するものである。具体的には、把持金具２００は、絶縁棒３００の先端に固定された本体側把持片２０１と、当該本体側把持片２０１の先端に軸部２０２を介して回転可能に軸支された可動把持片２０３とから構成されている。この可動把持片２０３は、軸部２０２を中心に閉じる方向（本体側把持片２０１に向かう方向）へ付勢されている。そして、導電部材を把持する際は、可動把持片２０３の先端の案内部２０４を導電部材に引っ掛けるようにし、そのまま把持金具２００を下方へ降ろす。すると、導電部材が本体側把持片２０１と可動把持片２０３の間へ案内されるように、可動把持片２０３が軸部２０２中心に開き、本体側把持片２０１と可動把持片２０３とが導電部材を挟んで把持することになる。
【００２５】
また、接地線Ｐの先端が、固定部２０６を介して電気的に本体側把持片２０１と接続されている。また、接地線Ｐの先端から下方は引出孔２０５に挿通しており、接地線Ｐの引き出し方向が規定されている。したがって、導電部材に流れた誘導電流は、導電部材を把持した把持金具２００から接地線Ｐへと流れ、当該接地線Ｐに接続されたアース金具へと流れていくのである。
【００２６】
また、本体側把持片２０１の背面側に収容部１００が取り付けられている。具体的には、この収容部１００の取付部１２０の固定孔１２１にボルトＢが貫通し、このボルトＢの先端が本体側把持片２０１の背面に設けられたネジ孔に螺合している。なお、収容部１００は本体側把持片２０１の背面側に設けられているが、把持金具２００の把持動作に干渉しない位置であれば、収容部１００は把持金具２００の任意の部分へ取り付けてもよい。また、収容部１００は、絶縁棒３００の先端側に取り付けてもよい。
【００２７】
では次に、図３を参照して、ハンドル部４００の構成について詳しく説明する。図３（ａ）は当該ハンドル部４００の側面図、（ｂ）は当該ハンドル部４００の正面図である。
【００２８】
このハンドル部４００は、先端部分４１０と、当該先端部分４１０に固定されたハンドル本体４２０とから構成されている。先端部分４１０は、収容部１００の収容部本体１１０に収容可能な形状に構成されている。具体的には、先端部分４１０は円柱状をしており、その外面４１１の形状が収容部本体１１０の内壁１１１の形状と対応している。そのため、先端部分４１０は収容部本体１１０内に嵌め込むように収容されるのである。
【００２９】
また、外面４１１の周方向の全周にわたり、外面４１１の表面から内側に凹んだ係止溝４１２が形成されている。先端部分４１０が収容部本体１１０に収容された際に、収容部本体１１０のボールプランジャ１３０のボール１３２が、係止溝４１２に係合する。そのため、ハンドル部４００が収容部１００から容易に脱落してしまうことを防止できる。
【００３０】
さらに、先端部分４１０の先端から突出するように、連結突起４１３が取り付けられている。この連結突起４１３は、後述するアース金具６００の取付部５００の連結穴５１４（図４参照）に係合する。なお、連結突起４１３は、先端部分４１０の先端に形成されたネジ孔に螺合可能なボルトなので、先端部分４１０に着脱可能に取り付けることができる。ただし、連結突起４１３はボルトに限定されず、後述するアース金具の取付部の一部に係合し、ハンドル部４００の回転をアース金具に伝達し、アース金具の取り外し動作を実現できる構成であれば、どのような構成を採用してもよい。
【００３１】
また、ハンドル部４００のハンドル本体４２０は、作業者が手で把持しやすい形状となっており、樹脂等の絶縁体で形成されている。なお、ハンドル本体４２０の形状は、作業者が手で操作できれば、どのような形状であってもよい。
【００３２】
次に、図４を参照して、取付部５００の構成について説明する。この取付部５００は、金属製であって、本体５１０と保持部５２０からなり、図４（ａ）は本体５１０の側面図、（ｂ）は本体５１０の正面図、（ｃ）は保持部５２０の側面図、（ｄ）は保持部５２０の正面図である。
【００３３】
図４（ａ）及び（ｂ）に示すように、本体５１０は、後述するアース金具６００の可動把持片６２０に連結固定される先端５１１と、長尺状の円柱形状をした軸部５１２と、円盤状の頭部５１３とからなる。頭部５１３には、計４つの連結穴５１４が設けられている。連結穴５１４はハンドル部４００の連結突起４１３（図３参照）と嵌合可能な形状となっている。また、連結穴５１４は頭部５１３上で等間隔に配置されており、相対する２つの連結穴５１４のそれぞれの位置は、ハンドル部４００の２つの連結突起４１３のそれぞれの位置に対応している。
【００３４】
次に、図４（ｃ）及び（ｄ）に示すように、保持部５２０は円筒形状をしており、上端が開口部５２１、下端が底壁５２２となっている。保持部５２０の環状の壁部５２３の内面形状は、ハンドル部４００の先端部分４１０の外面形状と対応しており、壁部５２３の内面の直径Ｒ３の大きさは、先端部分４１０の直径Ｒ２以上となっている。そのため、ハンドル部４００の先端部分４１０は、壁部５２３内側に嵌め込まれ、ハンドル部４００が容易に脱落しないように、壁部５２３により保持される。
【００３５】
また、保持部５２０の底壁５２２には貫通孔５２４が形成されており、この貫通孔５２４の大きさは本体５１０の軸部５１２を挿通可能な大きさとなっている。そして、本体５１０と保持部５２０とを組み付ける際は、貫通孔５２４に本体５１０の軸部５１２が挿通するように、保持部５２０が本体５１０に取り付けられる。そして、保持部５２０の底壁５２２が本体５１０の頭部５１３の裏面に当接するまで、保持部５２０は挿入される。その状態で、固定リング５２５（図５を参照）が、本体５１０の溝５１５に嵌められ、保持部５２０が軸部５１２の軸方向に移動しないように固定される。
【００３６】
では次に、図５を参照して、アース金具６００の構成について説明する。この図５は、アース金具６００の側面図を示している。
【００３７】
図５に示すように、アース金具６００は金属製であり、接地された対象物を把持するための固定把持片６１１と、取付部５００を支持するための支持部６１２とを両側に備えた略コ字状の本体６１０と、当該固定把持片６１１と相対するように配置された可動把持片６２０とから構成される。本体６１０には、接地線が接続固定される固定孔６１４が形成されている。また、支持部６１２には、取付部５００の軸部５１２を挿通可能な貫通孔６１３が形成されている。
【００３８】
そして、取付部５００の先端５１１側から、取付部５００の軸部５１２が貫通孔６１３に挿通され、先端５１１が可動把持片６２０に固定されている。軸部５１２と貫通孔６１３とが螺合するように、軸部５１２の外面にはネジ山が形成され、貫通孔６１３の内面にはネジ溝が形成されている。そして、軸部５１２が回転すると、軸部５１２は貫通孔６１３内で軸方向に進退することができ、それに伴って、軸部５１２の先端５１１に固定された可動把持片６２０も、軸部５１２の軸方向に進退することができる。
【００３９】
具体的には、ハンドル部４００の先端部分４１０の連結突起４１３が、取付部５００の連結穴５１４に挿入され、ハンドル部４００と取付部５００とが連結した状態で、ハンドル部４００が時計回りに回転すると、可動把持片６２０が本体６１０の固定把持片６１１へ向けて進む。すると、固定把持片６１１と可動把持片６２０とが接地された対象物を把持し、アース金具６００が対象物に取付けられる。また、ハンドル部４００が反時計回りに回転すると、可動把持片６２０が本体６１０の固定把持片６１１から離れるように後退し、対象物への把持が解かれ、アース金具６００が対象物から取り外される。このように、アース金具６００は、ハンドル部４００によってのみ対象物への取り付け及び取り外しができるようになっている。
【００４０】
では次に、図６及び図７を参照して、本願発明の接地用具７００の使用方法について説明する。図６（ａ）は、本願発明の接地用具７００の把持金具２００を電線等の導電部分Ｗから取り外す様子を示した斜視図、（ｂ）は把持金具２００の収容部１００からハンドル部４００を取り外した状態の斜視図を示している。また、図７（ａ）は、本願発明の接地用具７００のハンドル部４００を、アース金具６００の取付部５００に取り付ける状態を示した斜視図、（ｂ）はハンドル部４００を回転させてアース金具６００を接地物Ｇから取り外す状態を示した斜視図である。
【００４１】
まず、本願発明の接地用具７００は、絶縁棒３００と、絶縁棒３００の先端に取り付けられた把持金具２００と、当該把持金具２００と接地線Ｐを介して接続されるアース金具６００とを備えている。さらに、把持金具２００は収容部１００を備えており、当該収容部１００にハンドル部４００が収容され、アース金具６００には取付部５００が取り付けられている。
【００４２】
では、接地用具７００の使用方法について、具体的に説明する。図６（ａ）に示すように、架空送電線の工事や保守の際に、接地用具７００の把持金具２００が、高所にある導電部分Ｗを把持している。すると、作業対象となる電線の導電部分Ｗに誘導電流が流れることがあるが、電流が接地線Ｐを介して接地物Ｇへ逃げるので、作業員が感電することがなく、安全性が確保されている。なお、アース金具６００は建築物や鉄塔等の接地された接地物Ｇに取り付けられており、導電部分Ｗからの電流は、接地物Ｇへと逃げることができる。
【００４３】
なお、絶縁棒３００は、複数の棒状部材を入れ子状にして形成されており、その棒状部材を繰り出すことで伸長させることができる。そして、繰り出された先端の棒状部材３１０に把持金具２００が取り付けられている。作業員は、根元の棒状部材３２０を手で持って操作し、把持金具２００の導電部分Ｗへの取り付け及び取り外し作業を行う。また、アース金具６００の接地物Gへの取付は、把持金具２００で導線部分Ｗを把持する前に、ハンドル部４００によって行われている。
【００４４】
次に、架空送電線の工事や保守が完了して、接地用具７００が取り外される。接地用具７００の取り外しの際には、まず、把持金具２００が導電部分Ｗから取り外される。次に、図６（ｂ）に示すように、把持金具２００が作業員の手元に引き寄せられるまで、絶縁棒３００が縮められる。この状態で、作業員は手Ｈでハンドル部４００のハンドル本体４２０を掴み、収容部１００からハンドル部４００を取り外す。
【００４５】
次に、図７（ａ）に示すように、作業員はハンドル部４００の先端部分４１０を、取付部５００の開口部５２１に挿入し、ハンドル部４００の先端部分４１０の連結突起４１３（図３参照）を、取付部５００の連結穴５１４（図５参照）に嵌合させる。
【００４６】
その状態で、図７（ｂ）に示すように、作業員がハンドル部４００を回転させると、その回転に連動してアース金具６００の可動把持片６２０が後退し、固定把持片６１１と可動把持片６２０による接地物Ｇの把持が解かれ、アース金具６００が接地物Ｇから取り外される。以上により、接地用具７００の取り外し作業が完了する。なお、ハンドル部４００は落下防止チェーンＬにより把持金具２００の一部に連結されているので、ハンドル部４００が地面等に落下することを防止できる。
【００４７】
ここで、本願発明の接地用具７００の作用効果について説明する。まず仮に、架空送電線の工事や保守が完了して接地用具７００を取り外す際に、作業員が、把持金具２００を導電部分Ｗから取り外す前に、誤ってアース金具６００を接地物Ｇから先に取り外したとする。すると、導電部分Ｗに流れた誘導電流が接地物Ｇに逃げなくなり、作業員が感電する虞がある。
【００４８】
しかしながら、本願発明の接地用具７００では、ハンドル部４００が把持金具２００の収容部１００に収容されており、更にアース金具６００はハンドル部４００によって取り外すことができるようになっている。そのため、把持金具２００が導電部分Ｗから取り外され、把持金具２００が作業員の手元に引き寄せられた後でのみ、作業員がハンドル部４００を手に取ることができる。さらに、作業員は、ハンドル部４００を使うことで初めて、アース金具６００を接地物Ｇから取り外すことができる。従って、本願発明の接地用具７００は、「把持金具２００を導電部分Ｗから取り外し、その後アース金具６００を接地物Ｇから取り外す」という順番を間違えずに、接地用具７００の取り外し作業を実現でき、作業員の安全性を確保できる。
【００４９】
さらに、本願発明の接地用具７００では、ハンドル部４００を収容部１００に収容しておき、そのハンドル部４００をそのまま使用して、アース金具６００の取り外しを行うことができる。そのため、従来のように、インターロック機構やキー金具等の複雑な部品が不要であり、本願発明の接地用具７００では、簡単な構造で、取り外し手順を間違える事無く、取り外し作業を実現できるのである。
【００５０】
さらに、従来では、アース金具の取り外しは、キー金具でアース金具のロックを解除した後に、キー金具とは別の蝶ネジを回すことで行われてきた。一方、本願発明の接地用具７００では、アース金具６００の取り外しが、ハンドル部４００によって直接行われる。そのため、本願発明では、従来と比較して、アース金具の取り外し作業が単純化される。
【００５１】
さらに、本願発明の接地用具７００では、ハンドル部４００がアース金具６００に取り付けられ、ハンドル部４００を回転させると、その回転に連動して、アース金具６００の取り外しが実現できる。そのため、作業者にとって、ハンドル部４００はアース金具６００の取り外しを行う道具であると、直感的に強く認識される。そして、架空送電線の工事や保守が完了して、接地用具７００を取り外す際、作業者が、アース金具６００を接地物Ｇから取り外す作業を誤って先に行おうとしたとする。しかし、その際、作業者は作業対象であるアース金具６００を目視することになるが、アース金具６００を取り外すための道具であるハンドル部４００が手元に存在しないことを直ちに認識できる。その結果、作業員が取り外し手順を間違えたことを、即座に理解できるのである。
【００５２】
さらに、作業員がアース金具６００を取り外すための道具であるハンドル部４００を探そうとしたとする。すると、作業員は、把持金具２００の収容部１００に収容されたハンドル部４００を発見するので、それが契機となり、把持金具２００を導電部分Ｗから先に取り外さなければならないことを、直感的に即座に理解できるのである。
【００５３】
また、本願発明の接地用具７００では、収容部１００がハンドル部４００の先端部分４１０を収容し、ハンドル部４００のハンドル本体４２０が収容部１００から突出するようになっている。そのため、作業者は、把持金具２００の収容部１００にハンドル部４００が収容されていることを認識しやすく、さらに、ハンドル本体４２０を掴んで、ハンドル部４００を収容部１００から容易に取り外すことができる。
【００５４】
なお、図６及び図７では、収容部１００は把持金具２００に取り付けられているが、これに限定されず、絶縁棒３００の先端側の棒状部材３１０に取り付けてもよい。絶縁棒３００の先端側に収容部１００を取り付けておけば、把持金具２００を導電部分Ｗから取り外し、絶縁棒３００を縮めて、先端側の棒状部材３１０を手元に引き寄せた後でしか、ハンドル部４００を収容部１００から取り外して利用することができない。そのため、アース金具６００を先に誤って取り外してしまうことを防止できるのである。
【００５５】
さらに、本願発明の接地用具７００では、取付部５００の保持部５２０の形状がハンドル部４００の先端部分４１０の形状と対応しているので、ハンドル部４００の先端部分４１０を取付部５００の保持部５２０に嵌め合わせるように、取り付けることができ、そして、その取り付けた状態は保持部５２０により保持できる。そのため、作業者がハンドル部４００から手を離しても、ハンドル部４００は取付部５００に取り付けられたままで落下することがなく、アース金具６００の取り外し作業が行いやすいのである。
【００５６】
また、ハンドル部４００の回転とアース金具６００の取り外し動作が連動するのは、ハンドル部４００が取付部５００に取り付けられて、ハンドル部４００の連結突起４１３が取付部５００の連結穴５１４に嵌合し、両者が連結する構成によるものであるが、これに限定されず、ハンドル部４００が取付部５００に取り付けられて、ハンドル部４００の一部と取付部５００の一部が連結され、ハンドル部４００の回転によりアース金具６００の取り外し動作が実現可能な構成であれば、その他の構成を適宜採用することができる。
【００５７】
なお、本願発明の接地用具は、上記の実施例に限定されず、特許請求の範囲に記載された範囲、実施形態の範囲で、種々の変形例、組み合わせが可能であり、これらの変形例、組み合わせもその権利範囲に含むものである。
【図１】
2018137832.tif 000003
【図２】
2018137832.tif 000004
【図３】
2018137832.tif 000005
【図４】
2018137832.tif 000006
【図５】
2018137832.tif 000007
【図６】
2018137832.tif 000008
【図７】
2018137832.tif 000009